(57)【要約】【課題】  地下の波動の方向を効果的に修正する地場改良方法および地場改良装置を提供する。【解決手段】  土地から発生する磁場を測定して（ステップＳ１）、この測定結果に基づいて磁場の方向を修正する地場改良方法であって、土地に略垂直にアース・パンクチャーを刺設することにより磁場の方向を修正するアース・パンクチャー刺設工程（ステップＳ６，Ｓ１４）と、土地に磁場の方向を修正するエネルギー盤を埋設するエネルギー盤埋設工程（ステップＳ１６）と、土地の表面に磁場の方向を修正する土壌改良剤（医王素）を散布する土壌改良剤散布工程（ステップＳ７，Ｓ１８）と、さらに、土地Ｇの表面に磁場の方向を修正する竹炭を散布し（ステップＳ８）、土壌改良剤の上から妙水を散水することにより磁場の方向を修正すると共に、土壌改良剤を地下に浸透させる妙水散水工程（ステップＳ１０，Ｓ２０）とを含む。【選択図】      図４
2006030145.tif 000002
【特許請求の範囲】
【請求項１】
土地から発生する磁場を測定して、この測定した結果に基づいて前記磁場の方向を修正する地場改良方法であって、
針状の金属棒を前記土地に対して略垂直に刺設することにより前記磁場の方向を修正する金属棒刺設工程と、
前記土地に前記磁場の方向を修正する円盤を埋設する円盤埋設工程と、
前記土地に前記磁場の方向を修正する土壌改良剤を散布する土壌改良剤散布工程と、
前記土地に前記磁場の方向を修正する炭を散布する炭散布工程と、
前記土壌改良剤や前記炭の上方から活性化した水を散水することにより前記磁場の方向を修正すると共に、前記土壌改良剤を地下に浸透させる活性水散水工程と、
を少なくとも１つ含むことを特徴とする地場改良方法。
【請求項２】
前記土地に縦穴を掘削し、この縦穴の底部に前記金属棒を刺設することを特徴とする請求項１に記載の地場改良方法。
【請求項３】
土地から発生する磁場を測定して、この測定した結果に基づいて前記磁場の方向を修正する地場改良装置であって、
前記土地に略垂直に刺設することによって、前記磁場の方向を修正する針状の金属棒と、
前記土地に埋設することによって前記磁場の方向を修正するセラミック体を内包した金属材で形成された円盤と、
を少なくとも１つ備えたことを特徴とする地場改良装置。
【請求項４】
前記金属棒は、直径１０〜３０ｍｍ、長さ１〜３ｍの針状の銅材から形成されることを特徴とする請求項３に記載の地場改良装置。
【請求項５】
前記円盤は、
鉱石微粉末を粘土で円盤状に成形し焼結したセラミック体と、
前記セラミック体の表面に設けられた図柄及び複数の小穴と、
前記セラミック体を密閉して円盤状に形成され表面が鏡面に研磨されたステンレス枠体と
を備えたことを特徴とする請求項３に記載の地場改良装置。
【発明の詳細な説明】
【技術分野】
【０００１】
本発明は、土地から発生する磁場を測定して、この磁場の方向を修正する地場改良方法および地場改良装置に関し、特に、土地の一定の範囲（地場）における磁場を測定して、この測定結果に基づいて磁場の方向を修正する地場改良方法および地場改良装置に関する。
【背景技術】
【０００２】
従来、私たちが生活している土地の下方、つまり地中には水脈や断層・亀裂などがあり、そこからは人や動植物にとって多かれ少なかれ有害な波動が出ている場合がある。これにより、人や動物は知らず知らずに健康上の害を被ったり、植物は生育に影響を被ったりしていることがある。この波動は磁場から発生するものであり、これを地線と称し、また、その磁場の領域を刺激帯域又は障害帯域などと呼んでいる。
【０００３】
図５は、土地から波動が発生する様子を示す地層の断面の概略図である。図５に示すように、土地２１から発生する波動２２は、地中２３にある水脈や断層・地面の亀裂、および洞穴（空洞、洞）から発せられている。例えば、自然の放射線が引き金になった波動２２は、様々な波動２２の高さ・方向・広がりをもっており、また、その密度も様々である。また、この波動２２は常に変化をしている。一般には、これらの波動２２は微細であるが、これらの微細な波動２２を測定して、磁場を修正する方法が非特許文献１に開示されている（例えば、非特許文献１参照）。
【非特許文献１】パウル・シュミット、ラジエステティック、[online]、平成１６年７月２日、サトルエネルギー学会、[平成１６年７月２日検索]、インターネット＜URL： HYPERLINK "http://www.rayonex.co.jp/radiaesthesie.html" http://www.rayonex.co.jp/radiaesthesie.html＞
【発明の開示】
【発明が解決しようとする課題】
【０００４】
しかしながら、前記方法においては、見えない地下の波動の方向を修正する方法が具体的ではないという問題があった。
【０００５】
本発明は、前記問題を解決するためになされたものであり、地下の波動の方向を具体的かつ効果的に修正する地場改良方法および地場改良装置を提供することを課題とする。
【課題を解決するための手段】
【０００６】
前記課題を解決した本発明の請求項１に記載の地場改良方法は、土地から発生する磁場を測定して、この測定した結果に基づいて前記磁場の方向を修正する地場改良方法であって、針状の金属棒（アース・パンクチャー（土地の針灸））を前記土地に対して略垂直に刺設することにより前記磁場の方向を修正する金属棒（アース・パンクチャー）刺設工程と、前記土地に前記磁場の方向を修正する円盤（エネルギー盤（高波動源））を埋設する円盤（エネルギー盤）埋設工程と、前記土地に前記磁場の方向を修正する土壌改良剤（医王素）を散布する土壌改良剤散布工程と、前記土地に前記磁場の方向を修正する炭を散布する炭（竹炭）散布工程と、前記土壌改良剤や前記炭の上方から活性化した水（妙水）を散水することにより前記磁場の方向を修正すると共に、前記土壌改良剤を地下に浸透させる活性水（妙水）散水工程とを少なくとも１つ含むことを特徴とする。
ここでいうアース・パンクチャー、エネルギー盤、医王素、竹炭、および妙水は、それぞれ、特許請求の範囲における金属棒、円盤、土壌改良剤、炭、および活性化した水（活性水）に相当する。
【０００７】
請求項１に記載の発明によれば、アース・パンクチャー（金属棒）刺設工程を設けることにより、毛細管現象で上昇した地下水が下がる。これにより地表の湿度を下げることができる。
また、エネルギー盤（円盤）埋設工程を設けることにより、鉱石微粉末の焼結体およびステンレス材との作用により、磁場の方向を修正することができ、地磁気を改善することができる。
また、土壌改良剤（医王素）散布工程を設けることにより、本来、土地の主要な成分である珪素を増大させることができる。これにより土壌構造を蘇生させることができ、磁場の方向を修正することができる。
また、竹炭（炭）散布工程を設けることにより、湿気、カビ、ダニを取り除くと共に、竹炭が作用して酸化電圧層の改善をすることができ、磁場の方向を修正することができる。
また、妙水（活性水）散水工程を設けることにより、前記竹炭や土壌改良剤を土中に均等に浸透させることができ、磁場の方向を修正することができる。
これらを少なくとも１つ含むことにより、磁場の方向を効果的に修正することができる。その結果、土地に住む人や動物、および植物のさらなる健康を得ることができる。
【０００８】
請求項２に記載の発明は、請求項１に記載の地場改良方法であって、前記土地に縦穴を掘削し、この縦穴の底部に前記金属棒（アース・パンクチャー）を刺設することを特徴とする。
【０００９】
請求項２に記載の発明によれば、土地に縦穴を掘削し、この縦穴の底部に前記アース・パンクチャー（金属棒）を刺設し、ケーブルなどで建物に接続させることにより、土地と建物間の電位差を改善することができ、磁場の方向を修正することができる。
【００１０】
請求項３に記載の発明は、土地から発生する磁場を測定して、この測定した結果に基づいて前記磁場の方向を修正する地場改良装置であって、前記土地に略垂直に刺設することによって、前記磁場の方向を修正する金属棒（アース・パンクチャー）と、前記土地に埋設することによって前記磁場の方向を修正するセラミック体を内包した金属材で形成された円盤（エネルギー盤）とを少なくとも１つ備えたことを特徴とする。
【００１１】
請求項３に記載の発明によれば、土地に略垂直に刺設することによって、磁場の方向を修正するアース・パンクチャー（金属棒）と、土地に埋設することによって磁場の方向を修正するセラミック体を内包した金属材で形成された円盤（エネルギー盤）とを少なくとも１つ備えたことにより、土地と建物間の電位差を改善することができると共に、磁場の方向を修正することができる。
【００１２】
請求項４に記載の発明は、請求項３に記載の地場改良装置であって、前記金属棒（アース・パンクチャー）は、直径１０〜３０ｍｍ、長さ１〜３ｍの針状の銅材から形成されることを特徴とする。
【００１３】
請求項４に記載の発明によれば、アース・パンクチャー（金属棒）は、直径１０〜３０ｍｍ、長さ１〜３ｍの針状の銅材から形成されることにより、土地と建物間の電位差を改善することができると共に、磁場の方向を修正することができる。
【００１４】
請求項５に記載の発明は、請求項３に記載の地場改良装置であって、前記円盤（エネルギー盤）は、鉱石微粉末を粘土で円盤状に成形し焼結したセラミック体と、前記セラミック体の表面に設けられた図柄及び複数（９つ）の小穴と、前記セラミック体を密閉して円盤状に形成され表面が鏡面に研磨されたステンレス枠体とを備えたことを特徴とする。
【００１５】
請求項５に記載の発明によれば、エネルギー盤（円盤）は、鉱石微粉末を粘土で円盤状に成形し焼結したセラミック体と、セラミック体の表面に設けられた図柄及び９つ（複数）の小穴と、セラミック体を密閉して円盤状に形成され表面が鏡面に研磨されているステンレス枠体とを備えたことによって、磁場の方向を修正することができる。
【発明の効果】
【００１６】
以上説明したように、請求項１〜請求項５のいずれか１つに記載の発明によれば、磁場の測定値に基づいて磁場の方向を修正するために、土地に金属棒（アース・パンクチャー）を刺設し、さらに、円盤（エネルギー盤）を埋設し、また、土壌改良剤（医王素）や炭（竹炭）を散布し、さらに、その上から活性水（妙水）を散水することによって、磁場の方向を効果的に修正することができる。また、その土地に住む人間に良い影響を与え、人間を気持ち良くさせることができる。そして、良いエネルギーが絶え間なく放出されていると、住んでいるだけで健康になり、気を向上させることができる。
【発明を実施するための最良の形態】
【００１７】
次に、本発明の実施形態について、適宜図面を参照しながら詳細に説明する。参照する図面において、図１および図２は本実施形態に係る地場改良方法に適用する構成を示す構成図である。
図１および図２に示すように、磁場を測定する土地Ｇには、アース・パンクチャー（大）１、アース・パンクチャー（小）２、エネルギー盤３、および建物に接続されるアース・ケーブル４を主に備えている。
アース・パンクチャー（大）１は、銅材からなる直径約３０ｍｍ、長さ２．８９ｍの針状のものである。
アース・パンクチャー（小）２は、銅材からなる直径約２０ｍｍ、長さ１．１６ｍの針状のものである。このアース・パンクチャー（大）１およびアース・パンクチャー（小）２は土地Ｇの後記する場所に打ち込まれる。
図２に示すように、エネルギー盤３の内部が見えるように示されている。このエネルギー盤３は、鏡面に研磨されたステンレス材によって密封された円盤状のステンレス体３ａを備えている。内部には、鉱石微粉末を粘土で円盤状に成形したセラミック体３ｂが納められている。この円盤状のセラミック体３ｂは、図柄３ｃと共に９つの小穴３ｄを備えている。このエネルギー盤３は土地Ｇの後記する場所に埋設される。
【００１８】
図２に示すように、鉄骨Ｕで構成された建物Ｔが、土地Ｇに建設されている。この土地Ｇに建設されている建物Ｔの鉄骨Ｕには、アース・パンクチャー（大）１からアース・ケーブル４が接続されている。これによって、建物を構成する鉄骨Ｕはアースされ、建物Ｔ全体がグランドレベルの鉄骨Ｕに囲まれることになる。
アース・パンクチャー（大）１は、土地Ｇに掘削された直径約１ｍ、深さ約１．２ｍの穴Ｄの底面からほぼ垂直に打ち込まれている。アース・パンクチャー（大）１が打ち込まれた後、この穴Ｄには、土壌改良剤（医王素（登録商標））Ｉ、竹炭Ｂ、および塩分Ｓが順に散布され、これらの上方から妙水（登録商標）Ｍが散水される。その後、攪拌され踏み固められる。これを繰り返すことによって穴Ｄは土地Ｇの表面まで埋め戻される。
符号５は、磁場修正前の状態を示す磁場、符号６は、磁場修正後の状態を示す磁場である。
【００１９】
図３は、本実施形態に係る地場改良方法を示す概略図であり、その土地から発生する磁場を測定して、この磁場の方向を修正する地場改良方法を示している。
図３（ａ）は土地Ｇの５箇所における修正前の測定結果（黒矢印）と修正後の測定結果（白抜き矢印）を示している。ズレ量は、基準方向としての地球の磁北に対するズレを測定している。
図３（ｂ）は磁場修正前後における測定結果を示す表である。
図３（ａ）（ｂ）に示すように、修正前の磁場５（５ａ，５ｂ，５ｃ，５ｄ，５ｅ）の状態は、図示されたように、磁場５ａは、２．７×１０-2ミリテスラ、左へ１０°のズレを示し、磁場５ｂは、３．０×１０-2ミリテスラ、左へ２０°のズレを示し、磁場５ｃは、２．８×１０-2ミリテスラ、左へ１０°のズレを示し、磁場５ｄは、１．８×１０-2ミリテスラ、左へ３０°のズレを示し、磁場５ｅは、３．４×１０-2ミリテスラ、左へ３０°のズレを示した。これに対し、修正後の磁場６（６ａ，６ｂ，６ｃ，６ｄ，６ｅ）の状態は、図示されたように、磁場６ａは、３．４×１０-2ミリテスラ、ズレなしを示し、磁場６ｂは、４．５×１０-2ミリテスラ、左へ５°のズレを示し、磁場６ｃは、３．９×１０-2ミリテスラ、左へ５°のズレを示し、磁場６ｄは、４．２×１０-2ミリテスラ、左へ５°のズレを示し、磁場６ｅは、３．８３×１０-2ミリテスラ、左へ５°のズレを示した。このように修正した５箇所全てにおいて、磁場６の方向が整っている。
【００２０】
図２に示すように、土地Ｇからは、磁場５が発生している。この磁場５を測定装置７（図３参照）を用いて測定する。次に磁場測定結果に基づいて、この磁場５の方向を修正するために、アース・パンクチャー（大）１、アース・パンクチャー（小）２を土地Ｇに略垂直に刺設している。また、この土地Ｇの電位差を改善するためには、例えば、土地Ｇの敷地内に長さ１．１６ｍのアース・パンクチャー（小）２を３２本、長さ２．８９ｍのアース・パンクチャー（大）１を３本打ち込んでいる。
図２に示すように、さらに、この磁場５の方向を修正するために、土地Ｇに穴Ｅを約４０ｃｍ掘削し、エネルギー盤３を埋設している。エネルギー盤３は、土地Ｇの１０箇所に埋設し、土地Ｇのエネルギーを高める。エネルギー盤３は鏡面のステンレス材で仕上げられており内部を密封している。これはステンレス材により内部を保護すると同時に、エネルギーを増幅する。
【００２１】
さらに、この磁場５の方向を修正するために、土地Ｇの表面に土壌改良剤Ｉを散布している。この土壌改良剤Ｉの上方から妙水を散水している。エネルギー盤３は、平面視して円形状に形成されている。土壌改良剤Ｉは、５５〜６０質量％の珪素を含有している。ちなみに、測定装置７は、ジオマグネトメーターと言い、磁束密度（ガウス又はテスラ）を測定する。なお、エネルギー盤３は、平面視して円形状に形成された一般に知られたものを用いているが、円形状に限るものではなく、三角形や四角形などその他の形状であっても良い。
【００２２】
アース・パンクチャー（大）１、アース・パンクチャー（小）２は、鉄、銅、又は樫などの材料を用いて針状に形成されており、このアース・パンクチャー（大）１、アース・パンクチャー（小）２は、土地Ｇの表面から見えなくなるまで打つことによって地中に埋め込まれる。ちなみに、これらの材質を使い分けるための用途は場所によって決まる。このアース・パンクチャー（大）１、アース・パンクチャー（小）２によって、エネルギーの漏れを防止し、地下の水脈から発生する波動の修正を行うことができる。例えば、実施例によると、１つの工事にエネルギー盤３を２０個前後、アース・パンクチャー（小）２を１０本前後が使われている。このようにして、エネルギー盤３やアース・パンクチャー（大）１、アース・パンクチャー（小）２を地中に埋設した後に測定装置７により磁場を測定した場合、例えば、埋設前の数値が２.０×１０-2ミリテスラであったものが、埋設後の数値は、磁場の方向が揃うとともに、３．０×１０-2ミリテスラの磁場が得られた。今後、さらに、この数値を４.０〜５．０×１０-2ミリテスラに上げて行くことにより、また、所定の方向へ修正することにより、より安定した磁場が得られる。
【００２３】
エネルギー盤３は、常に一定の磁場を保つために用いられる。これを穴Ｅに埋めて置く。このエネルギー盤３は、例えば、土地Ｇに深さ約４０ｃｍに掘削された穴Ｅに埋設するが、エネルギー盤３の主たる材質はセラミックであり、水に触れるとエネルギー（熱量）を発生する。このセラミックの板（エネルギー盤３）は、複数の穴を有した陶磁器である。例えば、直径約６ｍｍの穴を９個有している。さらに、この周囲に、直径１ｍ、深さ１ｍの穴（図略）を掘削して竹炭を約２００リットル程度埋設することもある。この竹炭は細かい粒子状のものである。このとき、竹炭は導電性を有さない処理が施されている。このような竹炭を地下深くに埋設して、さらに、その上に土壌改良剤Ｉを散布する。エネルギー盤３は、直径約６ｍｍの穴を９個有しているものを用いたが、直径６ｍｍ程度であれば良い。また、穴の数は９個に限るものではなく、９個未満でも、９個以上であっても良い。
【００２４】
土壌改良剤Ｉは、医王素と称される一般に知られた土壌改良剤である。これを土地Ｇの表面に散布して行く。この医王素（土壌改良剤）Ｉは、いわゆる石であり、珪素を５５〜６０質量％含んでいる。この医王素（石）はミネラルが多い石の１つであり、いわゆる薬石である。これを土地Ｇの表面に１６０ｇ／ｍ2の割合で散布する。粒度は目的によって異なり、８０メッシュ、あるいは粉末状のものを用いる。これらの情報は、一般に知られた建設物価本に記載されている。実施例によると、資材として、多い時は仙台のケヤキ並木に８００トンの医王素Ｉが使われている。この医王素Ｉは、本出願人によって２５年前に開発され、周知のものとなっているが、これほど多くのミネラルを含んだ石は少ない。これらを散布する理由は、酸性雨の問題と微生物の活性化にある。つまり、酸性雨が降ると、嫌気性微生物が増殖してしまう。そのため、微量ミネラルを土地に与えることによって、しかも一回散布することで劣化した土壌が回復して行く。また、肥沃な土壌は、コロニー状になっているため、降雨の際に、医王素Ｉは、さっと地中に浸透して行く。また、一部には腐敗菌を抑える作用があり、これにより微生物のバランスが良くなる。いわゆる、嫌気性微生物、好気性微生物に対応する土壌の残留構造を蘇生させることができる。このように、地下の状態を改良することができる。これは大変効果的であり宅地にも畑においても使用される。また、植物の栽培などにも使用される。また、この医王素（土壌改良剤）Ｉは土壌自体を改良する土壌改良剤であるため、これを畑に使う場合には、無農薬栽培や有機栽培などと言われる土地改良方法とは一線を画すものであり、優れた効果を有する。また、土壌改良剤である医王素Ｉを、土地Ｇの表面に１６０ｇ／ｍ2の割合で散布したが、この割合に限定されるものではなく適宜増減することもできる。
【００２５】
妙水Ｍは、本出願人によって１０年ほど前に開発され、一般に知られ販売されている活性水である。この妙水Ｍは、水分子クラスタが細分化されており、エネルギーが高く活性化されている。また、波動を含んでいる。このような妙水Ｍは、ＰＨ値が約７．４を示し、弱アルカリ性を呈している。また、この妙水Ｍは、土地Ｇに一回散水することによって医王素Ｉを地下に浸透させて行くことができる。そのため、浸透した段階で散水し続ける必要はない。
【００２６】
さらに、プチラブ（図略）というものがあり、これは一般に知られた洗剤の一種であるが、このプチラブなどを用いることによって土地を活性化することもできる。この洗剤は、大豆油の再利用であり、洗剤としては勿論、歯磨きなどにも用いることができる。
【００２７】
磁場５の測定装置７としては、ダウジングロッド（図略）を使うこともあり、これは、地下の水脈や古い水道管を探す時に水道事業などにおいて一般的に用いられている。
【００２８】
また、測定装置７の測定値に基づいて、アース・パンクチャー（大）１、アース・パンクチャー（小）２、およびエネルギー盤３を埋設する場所を探索する。この測定装置７は、磁束密度を測定している。このとき、地下に水脈があると、この磁束密度が変化する。なお、磁束密度が高く、方向が一定で安定したところが良い土地である。この磁束密度がピーク値を示したところに埋設位置を特定する。この機械は、各大学や、航空機などにおいても一般的に使われる機械であり地力を測定することができる。この地力によって生じる磁束密度は、良い土地と言われるところでは、５．０×１０-2ミリテスラほどの値を示す。このような土地からは、良いエネルギーが絶え間なく放出されていて、そこで生活するだけで健康になり、運気が向上する。つまり、癒しのパワーが溢れている。
【００２９】
次に、以上の構成を備えた地場改良方法の動作を説明する。
図４は、本実施形態に係る地場改良方法を示すフローチャートである。図４に示すように、図面と機器とを用いて磁束密度を測定する。さらに、地下水脈の流れなどを測定し、地磁場の流れである実際の北の方角と比較する。つまり、この地磁場の流れの持つパワーが地場エネルギーである。例えば、地磁場の流れが、ある地点では実際の北に対して東に１０度傾いている場合があり、その他の地点では、逆に西に２０度傾いていたりする場合がある。このように、土地Ｇについて５箇所を測定した場合に、この５箇所ともすべて違っている場合がある。いわゆる、通常、地磁場は南から北に向けて流れているが、実際に土地Ｇから発生する磁場５（図２参照）を測定する（ステップＳ１）。この測定結果に基づいて磁場５の方向が狂っていると（ステップＳ２：Ｙｅｓの場合）、磁場５の方向を修正する位置を決めるために、測定装置７を用いて修正位置を決定する（ステップＳ３）。さらに、この測定結果に基づいて磁場５の方向の狂いの大（ステップＳ４：Ｙｅｓの場合）・小（ステップＳ４：Ｎｏの場合）を判断する。
【００３０】
磁場５の方向の狂いが大きいと判断された場合（ステップＳ４：Ｙｅｓの場合）、土地Ｇに直径約１ｍ、深さ約１．２ｍの穴Ｄ（図２参照）を掘削し（ステップＳ５）、穴Ｄの底面から略垂直にアース・パンクチャー（大）１を刺設する（ステップＳ６）。
この後、土地Ｇの表面に磁場５の方向を修正する土壌改良剤（医王素（登録商標））Ｉを散布する（ステップＳ７）。
さらに、土地Ｇの表面に磁場５の方向を修正する竹炭Ｂを散布する（ステップＳ８）。
さらに、土地Ｇの表面に磁場５の方向を修正する塩分Ｓを添加する（ステップＳ９）。
また、土壌改良剤Ｉの上から妙水Ｍを散水することにより磁場５の方向を修正すると共に、土壌改良剤Ｉを地下に浸透させる（ステップＳ１０）。このとき、妙水管（図略）を設置して常に妙水Ｍを供給できるようにすることが好ましい。
この後、攪拌して踏み固めていく（ステップＳ１１）。これを繰り返すことで（ステップＳ１２）、土地Ｇの表面まで埋め戻す（ステップＳ１３）。
【００３１】
磁場５（図２参照）の方向の狂いが小さいと判断された場合（ステップＳ４：Ｎｏの場合）、土地Ｇに略垂直にアース・パンクチャー（小）２を刺設する（ステップＳ１４）。
次に、アース・パンクチャー（小）２が使い難い場所である場合や、アース・パンクチャー（小）２を用いても磁場５の方向の修正が完璧でない場合は、さらに土地Ｇから発生する磁場５を測定し、この測定結果に基づいて（ステップＳ１５：Ｙｅｓの場合）、磁場５の方向を修正するために、土地Ｇに磁場５の方向を修正するエネルギー盤３を埋設する（ステップＳ１６）。
【００３２】
この後、さらに土地Ｇから発生する磁場５を測定し、この測定結果に基づいて（ステップＳ１７：Ｙｅｓの場合）、土地Ｇの表面に磁場５の方向を修正する土壌改良剤（医王素（登録商標））Ｉを散布する（ステップＳ１８）。
【００３３】
また、さらに土地Ｇから発生する磁場５を測定し、この測定結果に基づいて（ステップＳ１９：Ｙｅｓの場合）、土壌改良剤Ｉの上から妙水Ｍを散水することにより磁場５の方向を修正すると共に、土壌改良剤Ｉを地下に浸透させる（ステップＳ２０）。このようにして、その土地Ｇに住む人間に良い影響を与え、人間を気持ち良くさせることができる。また、良いエネルギーが絶え間なく放出されていると、住んでいるだけで健康になり、運気が向上する。また、逆に地場エネルギーが低い土地では、木が枯れ、作物の実りも少なく、生命力を減退させてしまう。
【００３４】
前記したように、本出願人は、地球環境の悪化により失われた水の機能を本来の水に戻す技術を開発しエネルギーの高い水である妙水（登録商標）の開発に成功している。この水のエネルギーと、土地のエネルギーとを統合させた独自の方法により、地場エネルギーを地点ごとに数値化している。そして、この数値をもとに、点数の低い地点の改善と、全体のエネルギーのバランスを修正し、癒しのパワー溢れる良い土地に変えることができる。なお、図４のフローチャートにおいて、ステップＳ２，Ｓ１５，Ｓ１７，Ｓ１９が「Ｎｏの場合」は、良い状態の土地であるので、そのまま調査を終了し、後日、定期的に測定を行い、磁場の方向に狂いが生じていないかを追跡調査する。
【００３５】
以上好ましい実施の形態について説明したが、本発明は前記実施の形態に限定されるものではなく、本発明の要旨を逸脱することのない範囲内において適宜の変更が可能なものである。例えば、エネルギー盤は、平面視して円形状として説明したが、矩形状でも、三角形状でも、その他の形状でも構わない。また、磁場を測定する測定装置で磁束密度を測定したが、周波数を測定しても良い。また、電流値、電場、マイクロ波を測定するようにしても構わない。また、磁場の方向を測定する順序、又は修正する順序は、適宜入れ替えることもできる。また、竹炭を埋設すると説明したが、竹炭に限定するものではなく、例えば、木炭であっても構わない。
【図面の簡単な説明】
【００３６】
【図１】本実施形態に係る地場改良方法に適用する構成を示す構成図である。
【図２】本実施形態に係る地場改良方法に適用する構成を示す構成図である。
【図３】本実施形態に係る地場改良方法を示す概略図であり、その土地から発生する磁場を測定して、この磁場の方向を修正する地場改良方法を示し、（ａ）は土地の５箇所における修正前の測定結果（黒矢印）と修正後の測定結果（白抜き矢印）を示し、（ｂ）は磁場修正前後における測定結果を示す表である。
【図４】本実施形態に係る地場改良方法を示すフローチャートである。
【図５】従来例に係る磁場測定方法を示す概略図である。
【符号の説明】
【００３７】
１    金属棒（アース・パンクチャー（大））
２    金属棒（アース・パンクチャー（小））
３    円盤（エネルギー盤）
３ａ  ステンレス体
３ｂ  セラミック体
３ｃ  図柄
３ｄ  穴（小穴）
４    アース・ケーブル
５    修正前の磁場
６    修正後の磁場
７    測定装置
Ｂ    炭（竹炭）
Ｄ,Ｅ  穴
Ｇ    土地
Ｉ    土壌改良剤（医王素）
Ｍ    活性化した水（活性水、妙水）
Ｎ    地磁場の北
Ｓ    塩分
Ｔ    建物
Ｕ    鉄骨
【図１】
2006030145.tif 000003
【図２】
2006030145.tif 000004
【図３】
2006030145.tif 000005
【図４】
2006030145.tif 000006
【図５】
2006030145.tif 000007